(57)【特許請求の範囲】
【請求項１】
記録データに基づいて被記録媒体に記録画像を形成する画像形成部と、上記画像形成部で被記録媒体に形成した記録画像を読み取る記録画像読取手段と、上記記録画像読取手段で読み取った読み取りデータと上記記録データとを比較してスポット状の異常データの周期性の有無を判別するスポット状異常データ周期性有無判別手段と、を備え、
上記記録画像読取手段により複数枚の被記録媒体を擬似的に長い被記録媒体として読み取り、
上記スポット状異常データ周期性有無判別手段は、周期性があると判断した場合には、上記画像形成部に備えられた複数の回動体についての回動特性に関する予め記憶されたデータテーブルに基づいてどの回動体のものかを特定し、上記複数の回動体のうちもっとも異常画像の原因になりやすい回動体は他の回動体に比べて、判断された周期性との関係を特定しやすいようにその外径を異ならされていることを特徴とする画像形成装置。
【請求項２】
請求項１に記載の画像形成装置において、
上記もっとも異常画像の原因になりやすい回動体は、静電潜像を形成される像担持体であることを特徴とする画像形成装置。
【請求項３】
請求項１又は２に記載の画像形成装置において、
原稿画像読取手段と、上記画像形成部で記録画像を形成した被記録媒体を上記原稿画像読取手段の読取位置に搬送する被記録媒体搬送案内手段とを有し、上記原稿画像読取手段が上記記録画像読取手段を兼ねることを特徴とする画像形成装置。
【請求項４】
請求項３に記載の画像形成装置において、
上記被記録媒体搬送案内手段は被記録媒体の搬送方向を切り替える切り替え爪を有し、上記画像形成部にて記録画像を形成した被記録媒体を選択的に上記原稿画像読取手段の読み取り部に案内することを特徴とする画像形成装置。
【請求項５】
請求項１〜４のいずれか１つに記載の画像形成装置において、
上記スポット状異常データ周期性有無判別手段は、周期性との関係が特定された回動体について、交換を促す警告表示を行うことを特徴とする画像形成装置。
【発明の詳細な説明】
【技術分野】
【０００１】
本発明は、画像形成装置に関し、詳しくは、被記録媒体に形成した記録画像を読み取って記録画像を形成する印刷装置等のインクジェットプリンターや、電子写真方法でトナーの記録画像を形成する複写機、ファクシミリ装置、プリンタあるいはこれ等の複合機等の画像形成装置に関する。
【背景技術】
【０００２】
従来から、画像形成装置においては、被記録媒体上に形成した記録画像を再読み取りすることによって、記録画像の異常を判断して、記録条件の再設定やカラーバランスを調整する手法がいろいろと提案されている。
動作モードを通常記録モードから自己診断モードに切り替えると、画像メモリに格納されているテストパターン画像に対応する記録画像情報を光書き込みユニット制御部に出力させ、記録紙にテストパターン画像を記録させ、この記録紙の画像をスキャナユニットにより読み取し、スキャナユニット制御部はスキャナユニットからのライン読取信号を蓄積して読取画像情報を生成して、画像メモリにおける読取画像情報を記録画像情報と比較して、読取画像情報と記録画像情報との間に不一致があるか否かを判断して、不一致が検出された場合には記録紙に対する記録条件を設定するようにして、記録紙に記録された画像に発生した欠陥を精度よく検出し、その画像欠陥を除去されるように各種の記録条件を自動調整することは公知である（特許文献１を参照）。
インサータから供給されるシートと、印刷後のシートとがともに通過する通路に画像読み取り部を設け、インサータに載置されたコピー原稿である原稿シート及び印刷後のシートの画像を読み取り、これら原稿シートの画像と印刷後のシートの画像とを比較することによって、印刷後のシートが原稿シートの画像に近づくように、プリンタによる画像形成を自動的にフィールドバック補正するようにして、画像形成後の印刷物の画質を維持するように画像形成を自動的に補正することも公知である（特許文献２を参照）。
【０００３】
読取り部は原稿読取り用の光路を確保するためのミラーと、光路を変更するために、そのミラーを動かす駆動部を具備し、記録紙にテストパターンを印字すると同時に、読取り部によりその記録紙のテストパターンを読み取って、その結果をサービスセンターに伝送するようにして、ファクシミリ装置の設置されたユーザの場所に保守者が行かなくても、記録系および読取り系のテストを同時に行うことができて、又、読取り系の調整時に必要としていた治具がなくても、自動的に調整を行うことができるようにすることも公知である（特許文献３を参照）。
原稿の画像データを読み取って印刷するので、この印刷された画像データを読み取らせると、前回の画像データと比較されてカラーバランスが調整され、この時、読取入力された画像データの所望位置を指定すると、所望位置の画像データが比較されてカラーバランスが調整されるので、ユーザが所望するカラーが正確に再現され、ユーザが所望するカラーが良好に再現されるようにカラーバランスを調整する技術も知られている（特許文献４を参照）。
然し、印字物上の記録画像を再読み取りして、記録画像の異常を判断しても、異常画像のなかで画像形成にかかわる要素を特定することができなかった。
例えば、電子写真方法を用いる画像形成装置等においては、異常な画像の原因、個所として、スジ状の周期的な現像器からのトナーのこぼれ、クリーニング装置からのトナーのこぼれ等や、スポット状の周期的な画像形成にかかわる回転体を特定することが容易に出来ないので、部品の交換やメンテンナンスが容易に出来なかった。
従って、従来の画像形成装置は、記録画像を読み取っても、異常画像の形成にかかわる箇所の部品や要素を特定することが容易に出来ないので、異常画像の形成にかかわる箇所の部品や要素の交換やメンテンナンスが容易に行うことが出来ないと言う不具合が生じていた。
【特許文献１】特開平１１−１０９８０７号公報
【特許文献２】特開２００３−１０３８８５公報
【特許文献３】特開平６−３７９６１号公報
【特許文献４】特開平８−２６５５８６号公報
【発明の開示】
【発明が解決しようとする課題】
【０００４】
従来の画像形成装置は、記録画像を読み取っても、異常画像の形成にかかわる箇所の部品や要素を特定することが容易に行うことが出来ないので、異常画像の形成にかかわる箇所の部品や要素の交換やメンテンナンスが容易に行うことが出来ないと言う問題が発生していた。
そこで本発明の課題は、このような問題点を解決するものである。即ち、記録画像を読み取って、異常画像の形成にかかわる周期性のある異常個所の部品や要素を容易に特定して、異常画像の形成にかかわる箇所の部品や要素の交換やメンテンナンスを容易に行うことが出来る画像形成装置を提供することを目的とする。
【課題を解決するための手段】
【０００５】
上記目的を達成するために、請求項１に記載の発明は、記録データに基づいて被記録媒体に記録画像を形成する画像形成部と、上記画像形成部で被記録媒体に形成した記録画像を読み取る記録画像読取手段と、上記記録画像読取手段で読み取った読み取りデータと上記記録データとを比較してスポット状の異常データの周期性の有無を判別するスポット状異常データ周期性有無判別手段と、を備え、上記記録画像読取手段により複数枚の被記録媒体を擬似的に長い被記録媒体として読み取り、上記スポット状異常データ周期性有無判別手段は、周期性があると判断した場合には、上記画像形成部に備えられた複数の回動体についての回動特性に関する予め記憶されたデータテーブルに基づいてどの回動体のものかを特定し、上記複数の回動体のうちもっとも異常画像の原因になりやすい回動体は他の回動体に比べて、判断された周期性との関係を特定しやすいようにその外径を異ならされていることを特徴とする。
請求項２に記載の発明は、請求項１に記載の画像形成装置において、上記もっとも異常画像の原因になりやすい回動体は、静電潜像を形成される像担持体であることを特徴とする。
請求項３に記載の発明は、請求項１又は２に記載の画像形成装置において、原稿画像読取手段と、上記画像形成部で記録画像を形成した被記録媒体を上記原稿画像読取手段の読取位置に搬送する被記録媒体搬送案内手段とを有し、上記原稿画像読取手段が上記記録画像読取手段を兼ねることを特徴とする。
請求項４に記載の発明は、請求項３に記載の画像形成装置において、上記被記録媒体搬送案内手段は被記録媒体の搬送方向を切り替える切り替え爪を有し、上記画像形成部にて記録画像を形成した被記録媒体を選択的に上記原稿画像読取手段の読み取り部に案内することを特徴とする。
請求項５に記載の発明は、請求項１〜４のいずれか１つに記載の画像形成装置において、上記スポット状異常データ周期性有無判別手段は、周期性との関係が特定された回動体について、交換を促す警告表示を行うことを特徴とする。
【発明の効果】
【０００９】
本発明によれば、異常画像の形成にかかわる周期性のある異常個所の部品や要素を容易かつ高精度に特定して、異常画像の形成にかかわる箇所の部品や要素の交換やメンテンナンスを容易に行うことが出来る。
【発明を実施するための最良の形態】
【００１４】
次に、本発明の実施の形態を図面を参照して詳細に説明する。
図１と図２において、被記録媒体に形成した記録画像を読み取って画像を形成する画像形成装置０は、記録データに基づいて被記録媒体（Ｐ）の記録用紙に記録画像を形成する画像形成部１と、画像形成部１で被記録媒体（Ｐ）に形成した記録画像を読み取る記録画像読取手段２と、上記記録画像読取手段２で読み取った読み取りデータと画像形成部１で被記録媒体（Ｐ）に形成した記録データを比較して検出したスポット状の異常データの周期性の有無を判別するスポット状異常データ周期性有無判別手段３と、を備え、記録画像を読み取って、異常画像の形成にかかわる周期性のある異常個所の部品や要素を容易に特定して、異常画像の形成にかかわる箇所の部品や要素の交換やメンテンナンスを容易に行うことが出来る。
上記画像形成装置０は、画像形成部１における複数の回動する各回動体の外径が異なっているので、記録画像を読み取って、異常画像の形成にかかわる周期性のある異常個所の各回動体の当該部品や要素を特定して、異常画像の形成にかかわる箇所の当該部品や要素の交換やメンテンナンスを容易に行うことが出来るようになっている。
画像形成装置０は、電子写真方法で被記録媒体（Ｐ）上に高速で高品質のトナーの記録画像を形成する画像形成部１における回動可能に保持されて形成するトナーの記録画像を担持する像担持体１ａのドラム形状の感光体ドラム１ａ１の外径と、像担持体１ａの外径と異なる他の回動する複数の回動体からなるので、記録画像を読み取って、異常画像の形成にかかわる周期性のある像担持体１ａを特定して、異常画像の形成にかかわる像担持体１ａの交換やメンテンナンスを容易に行うことが出来るようになっている。
【００１５】
電子写真方法で被記録媒体（Ｐ）上に高速で高品質のトナーの記録画像を形成する画像形成部１におけるブラック（Ｂｋ）画像形成部１（Ｂｋ）において、像担持体１ａは、回転可能に保持されている。
像担持体１ａの周辺には、像担持体１ａの表面に当接して、像担持体１ａの周辺には、像担持体１ａの表面に所定の極性の帯電電荷を付与する帯電手段１ｂの帯電ローラ１ｂ１、自動原稿搬送装置６に載置されて搬送されてくる原稿（Ｏ）の原稿画像を原稿画像読取手段４で読み取った記録データによるレーザ光（Ｌ）の書き込み走査により像担持体１ａの表面に静電潜像を形成する書き込み手段１ｃ、像担持体１ａの表面上に形成された静電潜像を顕像化する現像手段１ｄの現像ローラ１ｄ１、上記現像手段１ｄの上記現像ローラ１ｄ１でトナーにより像担持体１ａの表面に可視像化されたトナーの記録画像を被記録媒体（Ｐ）に転写して記録する転写手段１ｅの転写ローラ１ｅ１、又は、図示しない転写ベルト、転写ローラ１ｅ１で転写後に像担持体１ａの表面上に残留したトナーを清掃するクリーニング手段１ｌ、転写ローラ１ｅ１で転写後に像担持体１ａの表面上に残留している電荷を除電する図示しない除電装置等が配置されている。
画像形成装置０のカラー画像を形成する画像形成部１において、上記ブラック（Ｂｋ）画像形成部１（Ｂｋ）のプロセスカートリッジ１０のブラック（Ｂｋ）プロセスカートリッジ１０ａの他に、図示するように、シアン（Ｃ）画像形成部１（Ｃ）のシアン（Ｃ）プロセスカートリッジ１０ｂ、マゼンタ（Ｍ）画像形成部１（Ｍ）のマゼンタ（Ｍ）プロセスカートリッジ１０ｃ、イエロー（Ｙ）画像形成部１（Ｙ）のイエロー（Ｙ）プロセスカートリッジ１０ｄが、トナーの記録画像を転写して記録する被記録媒体（Ｐ）を搬送する搬送手段１ｇの搬送ベルト１ｇ１の通過経路上に所定の狭いピッチ間隔で配列されている。
又、ブラック（Ｂｋ）画像形成部１（Ｂｋ）、シアン（Ｃ）画像形成部１（Ｃ）、マゼンタ（Ｍ）画像形成部１（Ｍ）、イエロー（Ｙ）画像形成部１（Ｙ）の現像手段１ｄの現像ローラ１ｄ１にそれぞれにブラック（Ｂｋ）トナー、シアン（Ｃ）トナー、マゼンタ（Ｍ）トナー、イエロー（Ｙ）トナーを供給する図示しない各トナー収納容器が配設されている。
【００１６】
被記録媒体（Ｐ）は、給紙装置７の給紙ローラ７ａから搬送ガイド７ｂでガイドされて搬送ローラ１ｇ２からレジストローラ１ｈに送り出され、上記レジストローラ１ｈから、ブラック（Ｂｋ）画像形成部１（Ｂｋ）、シアン（Ｃ）画像形成部１（Ｃ）、マゼンタ（Ｍ）画像形成部１（Ｍ）、イエロー（Ｙ）画像形成部１（Ｙ）の各像担持体１ａに書き込まれたトナーの記録画像との転写タイミングに合わせて上記搬送ベルト１ｇ１上に送られる。
上記搬送ベルト１ｇ１は、駆動ローラ１ｉ、従動ローラ１ｊ、上記搬送ローラ１ｇ２、及び、テンションローラ１ｋに支持されて、そして、上記駆動ローラ１ｉは図示しない駆動装置で回転速度が一定になるように回転駆動され、図示の矢印（Ａ）方向に回動するようになっている。
搬送ベルト１ｇ１に担持して搬送される被記録媒体（Ｐ）は、各画像形成部１（Ｂｋ）、１（Ｃ）、１（Ｍ）、１（Ｙ）の各プロセスユニットの各像担持体１ａを通過時に順次に各色のトナーの記録画像が被記録媒体（Ｐ）に重ね転写され記録された後に、定着手段１ｆの定着ローラ１ｆ１、又は、図示しない定着ベルトに送られる。
【００１７】
被記録媒体（Ｐ）は、転写して記録されたトナーの記録画像が上記定着手段１ｆの上記定着ローラ１ｆ１、又は、図示しない定着ベルトによって定着された後に、上記スポット状異常データ周期性有無判別手段３によって、上記記録画像読取手段２で読み取った読み取りデータと画像形成部１で被記録媒体（Ｐ）に形成した記録データを比較することにより検出したスポット状の異常データの周期性の有無を判別して、排出ローラ８で排紙トレイ９に排出されて収納されようになっている。
実際には、回動する外径が異なる複数の各種の回動体に異常がある場合、例えば、像担持体１ａに打痕、塗膜ムラ、塗膜欠陥等があった場合に、被記録媒体（Ｐ）に形成した記録画像にはスポット状の異常画像が現れる。
このスポット状の異常画像は、像担持体１ａの回転に応じて、周期的に形成される異常な画像となって現れる。
異常な画像としては、スジ状のものとスポット状のものとに大別することが出来るが、回動体のローラやベルトの欠陥による異常画像は、多くはスポット状のものであり、上記スポット状異常データ周期性有無判別手段３は、この異常を検知する。
周期的でない異常が、何らかの原因により発生する可能性としては、上記現像手段１ｄの現像器からのトナーこぼれ、上記クリーニング手段１ｌからのトナーこぼれ等がある。
これらは、回動体のローラやベルトに起因する問題ではないので、回動体のローラやベルトを交換しても改善しない。
電子写真方法で被記録媒体（Ｐ）上にトナーの記録画像を形成する画像形成部１における回動する異なる外径の各種回動体とは、例えば、像担持体１ａ、潜像を現像する現像ローラ１ｄ１、帯電ローラ１ｂ１、転写ローラ１ｅ１、又は、図示しない転写ベルト、定着ローラ１ｆ１、又は、図示しない定着ベルト、搬送ベルト１ｇ１、又は、搬送ローラ１ｇ２、被記録媒体（Ｐ）の記録開始点を合わせる上記レジストローラ１ｈ、駆動する上記駆動ローラ１ｉ、従動する上記従動ローラ１ｊ、張力を与える上記テンションローラ１ｋ等があり、異常な回動をする各種回動体を特定する判定が行い易くなっている。
【００１８】
又、画像形成装置０は、回動する異なる外径の各種回動体を一体化した上記プロセスカートリッジ１０を交換して直るものか、上記定着手段１ｆの上記定着ローラ１ｆ１を交換して直るものか、上記転写手段１ｅの上記転写ローラ１ｅ１を交換する必要があるか、等を容易に特定して、例えば、問題なく使用可能な上記プロセスカートリッジ１０の交換を、ユーザに行わせることを防止することが容易に出来る。
上記スポット状異常データ周期性有無判別手段３は、画像形成部１で形成したトナーの記録画像が転写して記録された被記録媒体（Ｐ）を上記記録画像読取手段２に導く。そして、記録画像読取手段２は、全ての被記録媒体に対して常に、あるいは、選択的に記録画像の読み取りを行う。そして、プリンタの場合は記録すべき記録データと、自動原稿搬送装置６に載置されて搬送されてくる原稿（Ｏ）の原稿画像を上記原稿画像読取手段４で読み取った記録データ読み取りデータと画像形成部１で被記録媒体（Ｐ）に形成した読み取りデータを比較する。そして、本来、被記録媒体（Ｐ）に形成すべきではないものと判断したスポット状の異常画像の位置情報を記憶して、その後、複数のスポット状の異常画像の位置情報を比較し、周期性があるかを判断する。周期性があると判断できた場合、予め記憶された、回動する回動体のローラ等の外径寸法、回転周期等に関するデータテーブルを参照し、異常画像発生の原因となる回動体のローラ等を特定する。
特に、像担持体１ａが、もっとも異常画像の原因になりやすいため、像担持体１ａの外径を他の回動体の外径と違えておかれているので、異常な回動をする像担持体１ａを確実に特定する判定がし易くなっている。
もちろん、全ての回動する回動体のローラ等の外径を違えることで、全ての回動する異常のある回動体のローラの特定は、容易に行いやすくなることはもちろんである。
【００１９】
又、スポット状異常データ周期性有無判別手段３は、画像形成部１で形成したトナーの記録画像が転写して記録された被記録媒体（Ｐ）が１枚では周期性が特定できない場合もあるため、画像形成部１で形成したトナーの記録画像が転写して記録された被記録媒体（Ｐ）の記録用紙間隔を考慮し、上記記録画像読取手段２で複数枚の被記録媒体（Ｐ）を擬似的に長い被記録媒体（Ｐ）として読み取った読み取りデータと画像形成部１で被記録媒体（Ｐ）に形成した記録データを比較して検出したスポット状の異常データの周期性の有無を判別することが出来るようになっている。
従って、被記録媒体（Ｐ）を１枚では周期が特定できない場合でも記録画像を読み取って、異常画像の形成にかかわる周期性のある、より多くの異常個所の部品や要素を容易に特定して、異常画像の形成にかかわる、より多くの箇所の部品や要素の交換やメンテンナンスを容易に行うことが出来る画像形成装置０を提供することが出来るようになった。
上記スポット状異常データ周期性有無判別手段３は、図２に図示するように、上記記録画像読取手段２で読み取った読み取りデータと画像形成部１で被記録媒体（Ｐ）に形成した記録データを比較して検出したスポット状の異常データの周期性の有無を判別して、記録画像を読み取って、異常画像の形成にかかわる周期性のある異常個所の部品や要素を特定して、異常画像の形成にかかわる箇所の部品や要素の交換やメンテンナンスを容易に行うことが出来るようになっている。
【００２０】
スタートで、画像形成部１で形成したトナーの記録画像が転写して記録された被記録媒体（Ｐ）を上記記録画像読取手段２に導き、常に、あるいは、選択的に記録画像の読み取りを行って（ステップ１）、位置合わせマッチング処理を含む倍率補正を行って（ステップ２）、上記記録画像読取手段２で読み取った読み取りデータと画像形成部１で被記録媒体（Ｐ）に形成した記録データを比較して予期しないデータがあるかを判断して（ステップ３）、予期しないデータがなければ終了するが、予期しないデータがあれば、予期しないデータの位置情報を記憶して（ステップ４）、記憶した予期しないデータの位置情報を比較して（ステップ５）、記憶した予期しないデータの位置情報に周期性があるかを判断して（ステップ６）、記憶した予期しないデータの位置情報に周期性がなければ終了するが、記憶した予期しないデータの位置情報に周期性があれば、予め記憶された、回動するか回動体のローラ等の外径のテーブルを参照して、異常な回動する回動体のローラ等を特定して（ステップ７）、特定した異常な回動する回動体のローラ等を操作パネル１０の表示部１０ａに警告表示して（ステップ８）、エンドで終了する。
このようにして、回動体のローラ等を特定したスポット状の異常画像に対して、周期性から異常な回動する回動体のローラ等を特定し、異常のある回動する回動体のローラ等について、警告表示により、容易に、その交換を促すことが出来るようになっている。
この際、画像形成装置０は、上記プロセスカートリッジ１０を用いているので、ユーザ自身で異常のある像担持体１ａ、他の回動する各回動体のローラ等からなる着脱可能な上記プロセスカートリッジ１０の警告表示により交換がより容易に可能であり、メンテンナンスの修理時間を低減できる。
そうでない場合も、原因が判っているため、修理に伴う時間を大幅に低減できるメリットがある。
【００２１】
図３と図４において、図３に図示するのは、上記イエロー（Ｙ）画像形成部１（Ｙ）における上記イエロー（Ｙ）プロセスカートリッジ１０ｄの拡大図であるが、図示しない上記ブラック（Ｂｋ）画像形成部１（Ｂｋ）、上記シアン（Ｃ）画像形成部１（Ｃ）、上記マゼンタ（Ｍ）画像形成部１（Ｍ）における上記ブラック（Ｂｋ）プロセスカートリッジ１０ａ、上記シアン（Ｃ）プロセスカートリッジ１０ｂ、上記マゼンタ（Ｍ）プロセスカートリッジ１０ｃについてもそれぞれ同じ構成となっているので、それらの説明は省略する。
上記イエロー（Ｙ）プロセスカートリッジ１０ｄは、感光体ユニット１０ｄＡ、及び、現像ユニット１０ｄＢを備えている。
上記感光体ユニット１０ｄＡは、図４に図示した感光体カートリッジ１０ｄＣと構成は同じである。
上記現像ユニット１０ｄＢは、現像ケース１ｄ２の開口から一部露出させるように配設された上記現像ローラ１ｄ１や、搬送スクリュウ１ｄ３、搬送スクリュウ１ｄ４、現像ドクタ１ｄ５、トナー濃度センサ１ｄ６を備え、トナー収納容器１ｄ７から粉体ポンプ１ｄ８により、トナーの供給が行われるようになっている。
【００２２】
上記現像ケース１ｄ２には、磁性キャリア、及び、マイナス帯電のトナーを含む二成分現像剤が内包されている。
この二成分現像剤は、上記搬送スクリュウ１ｄ３、上記搬送スクリュウ１ｄ４によって撹拌搬送されながら摩擦帯電された後、上記現像ローラ１ｄ１の表面に担持される。
そして、上記現像ドクタ１ｄ５によって、その層厚が規制されてから、像担持体１ａと対向する現像位置に搬送され、ここで、像担持体１ａ上の上記静電潜像にトナーを付着させる。
この付着により、像担持体１ａ上に所定の色トナーの記録画像が形成される。
現像によってトナーを消費した２成分現像剤は、上記現像ローラ１ｄ１の回転に伴って上記現像ケース１ｄ２内に戻される。
上記現像ケース１ｄ２内の２成分現像剤のトナー濃度は、上記トナー濃度センサ１ｄ６で検知され、必要に応じて上記粉体ポンプ１ｄ８によって、上記トナー収納容器１ｄ７からトナーが補給されるようになっている。
上記イエロー（Ｙ）プロセスカートリッジ１０ｄには、それを画像形成装置０の本体０ａに対して着脱する際の基準として、像担持体１ａ両端部のフランジに設けた穴を位置決め主基準部１ａ２として設けると、共に、手前側と奥側に図示しない位置決め従基準部とをフレーム０ｂにそれぞれ設け、上記感光体カートリッジ１０ｄＣを上記装置本体０ａに装着する際に、それらの上記主基準部１ａ２と上記本体０ａに設けた図示しない位置決め従基準部の係合部により、上記感光体カートリッジ１０ｄＣを所定の装着位置に確実に位置決めが出来るようになっている。
像担持体１ａは、これの下方に配設された上記転写手段１ｅの上記搬送ベルト１ｇ１に接触して転写位置としての転写ニップを形成する。
【００２３】
図５において、画像形成装置０において、画像形成部１でトナーの記録画像を形成した被記録媒体（Ｐ）を、上記原稿画像読取手段４の読取位置に選択的に搬送する被記録媒体搬送案内手段５を設けることにより、上記記録画像読取手段２に替えて上記原稿画像読取手段４を選択的に兼用することが出来る。
上記被記録媒体搬送案内手段５は、切り替え爪５ａの図示の矢印（Ｂ）方向の回動によって、画像形成部１でトナーの記録画像を形成した被記録媒体（Ｐ）の搬送方向を、上記排紙とレイ９、又は、上記原稿画像読取手段４の読み取り位置に簡単な構造で、選択的に、容易に切り替えられるようになっている。
画像形成装置０では、タンデム型のカラーレーザプリンタの場合について説明したが、黒トナーを用いるトナー像形成部を１組備えたモノクロのレーザプリンタ等にも適用できるものである。
又、画像を担持した中間転写体を介して被記録媒体（Ｐ）にトナー画像を転写するタイプの、複写機、ファクシミリ装置、プリンタあるいはこれ等の複合機等の他の画像形成装置にも適用できる。
又、像担持体１ａの例で説明したが、感光体ベルト、転写ベルト、中間転写体のベルトや円筒体の回転駆動装置においても採用できることは言うまでもない。
【図面の簡単な説明】
【００２４】
【図１】本発明の実施の形態例を示す画像形成装置を説明する説明図。
【図２】本発明の実施の形態例を示す画像形成装置の主要部の動作を説明するフローチャート。
【図３】本発明の実施の形態例を示す画像形成装置の他の主要部を説明する拡大図。
【図４】本発明の実施の形態例を示す画像形成装置の他の主要部を説明する拡大図。
【図５】本発明の他の実施の形態例を示す画像形成装置の主要部を説明する説明図。
【符号の説明】
【００２５】
０  画像形成装置、０ａ  本体、０ｂ  フレーム１  画像形成部、１０  プロセスカートリッジ、１０ａ  ブラック（Ｂｋ）プロセスカートリッジ、１０ａＡ  感光体ユニット、１０ａＢ  現像ユニット、１０ａＣ  感光体カートリッジ、１０ｂ  シアン（Ｃ）プロセスカートリッジ、１０ｂＡ  感光体ユニット、１０ｂＢ  現像ユニット、１０ｂＣ  感光体カートリッジ、１０ｃ  マゼンタ（Ｍ）プロセスカートリッジ、１０ｃＡ  感光体ユニット、１０ｃＢ  現像ユニット、１０ｃＣ  感光体カートリッジ、１０ｄ  イエロー（Ｙ）プロセスカートリッジ、１０ｄＡ  感光体ユニット、１０ｄＢ  現像ユニット、１０ｄＣ  感光体カートリッジ、１（Ｂｋ）  ブラック（Ｂｋ）画像形成部、１（Ｃ）  シアン（Ｃ）画像形成部、１（Ｍ）  マゼンタ（Ｍ）画像形成部、１（Ｙ）  イエロー（Ｙ）画像形成部１ａ  像担持体、１ａ１  感光体ドラム、１ａ２  主基準部、１ｂ  帯電手段、１ｂ１  帯電ローラ、１ｃ  書き込み手段、１ｄ  現像手段、１ｄ１  現像ローラ、１ｄ２  現像ケース、１ｄ３  搬送スクリュウ、１ｄ４  搬送スクリュウ、１ｄ５  現像ドクタ、１ｄ６  トナー濃度センサ、１ｄ７  トナー収納容器、１ｄ８  粉体ポンプ、１ｅ  転写手段、１ｅ１  転写ローラ、１ｆ  定着手段、１ｆ１  定着ローラ、１ｇ  搬送手段、１ｇ１  搬送ベルト、１ｇ２  搬送ローラ、１ｈ  レジストローラ、１ｉ  駆動ローラ、１ｊ  従動ローラ、１ｋ  テンションローラ、１ｌ  クリーニング手段、２  記録画像読取手段、３  スポット状異常データ周期性有無判別手段、４  原稿画像読取手段、５  被記録媒体搬送案内手段、５ａ  切り替え爪、６  自動原稿搬送装置、７  給紙装置、７ａ  給紙ローラ、７ｂ  搬送ガイド、８  排出ローラ、９  排紙トレイ、１０  操作パネル、１０ａ  表示部
【図１】
0004731819.tif 000002
【図２】
0004731819.tif 000003
【図３】
0004731819.tif 000004
【図４】
0004731819.tif 000005
【図５】
0004731819.tif 000006